(57)【要約】      （修正有）【課題】手帳のように持ち運ぶことができる卓上カレンダーを提供する。【解決手段】矩形のカバー体と、複数の矩形の綴じ込み用紙と、カバー体と綴じ込み用紙とを一体とする綴じリング４と、を有し、綴じリングは、カバー体と綴じ込み用紙の各々の上辺に沿って幅方向に設けた複数の綴じ穴に挿通し、カバー体は、綴じ穴を有するカバーパネル２２と、カバーパネルの上辺と対向する下辺から折曲可能に延設する第一折曲部２３と、第一折曲部からさらに折曲可能に延設する第二折曲部２４と、を有し、カバーパネルの大きさは、綴じ込み用紙の大きさと略同一であり、第一折曲部の延設長さは、複数の綴じ込み用紙を重ね合わせた厚さと略同一であり、第二折曲部の延設長さは、カバーパネルの上下方向の長さよりも短く構成し、第二折曲部を底面とし、複数の綴じ込み用紙の一部の下辺を第二折曲部に接触させて、綴じリングを上にした状態で起立可能である。【選択図】図１
0003214864.tif 000002
【実用新案登録請求の範囲】
【請求項１】
矩形のカバー体と、複数の矩形の綴じ込み用紙と、前記カバー体と前記綴じ込み用紙とを一体とする綴じリングと、を有し、
前記綴じリングは、前記カバー体と前記綴じ込み用紙の各々の上辺に沿って幅方向に設けた複数の綴じ穴に挿通し、
前記カバー体は、前記綴じ穴を有するカバーパネルと、前記カバーパネルの前記上辺と対向する下辺から折曲可能に延設する第一折曲部と、前記第一折曲部からさらに折曲可能に延設する第二折曲部と、を有し、
前記カバーパネルの大きさは、前記綴じ込み用紙の大きさと略同一であり、
前記第一折曲部の延設長さは、前記複数の綴じ込み用紙を重ね合わせた厚さと略同一であり、
前記第二折曲部の延設長さは、前記カバーパネルの上下方向の長さよりも短く構成し、
前記第二折曲部を底面とし、前記複数の綴じ込み用紙の一部の下辺を前記第二折曲部に接触させて、前記綴じリングを上にした状態で起立可能である、卓上カレンダー。
【請求項２】
請求項１に記載の卓上カレンダーにおいて、
前記カバー体を透明又は半透明の合成樹脂素材により構成することを特徴とする、卓上カレンダー。
【請求項３】
請求項１又は請求項２に記載の卓上カレンダーにおいて、
前記第二折曲部の前記第一折曲部と逆側の端部に、幅方向に沿ってストッパ片を固定することを特徴とする、卓上カレンダー。
【請求項４】
請求項１乃至請求項３のいずれか一項に記載の卓上カレンダーにおいて、
前記カバー体、前記綴じ込み用紙及び前記第二折曲部を重合して拘束するための拘束材を有することを特徴とする、卓上カレンダー。
【請求項５】
請求項４に記載の卓上カレンダーにおいて、
前記拘束材は前記第二折曲部に取り付けることを特徴とする、卓上カレンダー。
【考案の詳細な説明】
【技術分野】
【０００１】
本考案は、卓上カレンダーに関し、特に手帳のように持ち運ぶことができる卓上カレンダーに関するものである。
【背景技術】
【０００２】
従来、卓上カレンダーは色々な形態のものがあるが、特に一般的な形態は、カレンダーを印刷した綴じ込み用紙を複数枚重ね合わせ、その上辺を綴じリングによって綴じ込み、卓上に起立させて使用するものである。
従来の卓上カレンダーは卓上に据え置きで使用するため、この形態は起立時に安定するためのものである。
【考案の概要】
【考案が解決しようとする課題】
【０００３】
近年のビジネス社会では、会議や営業などで机を離れることも多く、また、席を固定しないフリーアドレスオフィスも増えてきている。
このような環境においては、従来の起立時の安定性に加えて、持ち運ぶことができる卓上カレンダーが求められている。
【０００４】
本考案は、手帳のように持ち運ぶことができる卓上カレンダーを提供することを目的とする。
【課題を解決するための手段】
【０００５】
上記目的を達成するためになされた本願の第１考案は、矩形のカバー体と、複数の矩形の綴じ込み用紙と、前記カバー体と前記綴じ込み用紙とを一体とする綴じリングと、を有し、前記綴じリングは、前記カバー体と前記綴じ込み用紙の各々の上辺に沿って幅方向に設けた複数の綴じ穴に挿通し、前記カバー体は、前記綴じ穴を有するカバーパネルと、前記カバーパネルの前記上辺と対向する下辺から折曲可能に延設する第一折曲部と、前記第一折曲部からさらに折曲可能に延設する第二折曲部と、を有し、前記カバーパネルの大きさは、前記綴じ込み用紙の大きさと略同一であり、前記第一折曲部の延設長さは、前記複数の綴じ込み用紙を重ね合わせた厚さと略同一であり、前記第二折曲部の延設長さは、前記カバーパネルの上下方向の長さよりも短く構成し、前記第二折曲部を底面とし、前記複数の綴じ込み用紙の一部の下辺を前記第二折曲部に接触させて、前記綴じリングを上にした状態で起立可能である、卓上カレンダーを提供する。
本願の第２考案は、第１考案の卓上カレンダーにおいて、前記カバー体を透明又は半透明の合成樹脂素材により構成することを特徴とする、卓上カレンダーを提供する。
本願の第３考案は、第１考案又は第２考案の卓上カレンダーにおいて、前記第二折曲部の前記第一折曲部と逆側の端部に、幅方向に沿ってストッパ片を固定することを特徴とする、卓上カレンダーを提供する。
本願の第４考案は、第１考案乃至第３考案のいずれかの卓上カレンダーにおいて、前記カバー体、前記綴じ込み用紙及び前記第二折曲部を重合して拘束するための拘束材を有することを特徴とする、卓上カレンダーを提供する。
本願の第５考案は、第４考案の卓上カレンダーにおいて、前記拘束材は前記第二折曲部に取り付けることを特徴とする、卓上カレンダーを提供する。
【考案の効果】
【０００６】
本考案の卓上カレンダーは、上記した課題を解決するための手段により、次のような効果の少なくとも一つを得ることができる。
＜１＞カバー体のカバーパネルと第二折曲部で綴じ込み用紙を挟むことで、持ち運びしやすい形態となる。
＜２＞カバー体を透明又は半透明の合成樹脂素材とすることで、表紙部分が持ち運び形態時にカバー体を透過して見える状態となる。
＜３＞底面となる第二折曲部に固定したストッパ片により、起立時に綴じ込み用紙を保持して安定して起立することができる。
＜４＞拘束材によりカバー体と綴じ込み用紙を一体に保持し、持ち運び時に綴じ込み用紙が広がることを防ぐ。
【図面の簡単な説明】
【０００７】
【図１】卓上カレンダーの斜視図
【図２】卓上カレンダーを持ち運ぶ状態の斜視図
【図３】卓上カレンダーを開いた状態の説明図
【図４】卓上カレンダーを起立させるときの説明図（１）
【図５】卓上カレンダーを起立させるときの説明図（２）
【図６】実施例２の卓上カレンダーを起立させるときの説明図
【図７】実施例３の卓上カレンダーの斜視図
【考案を実施するための形態】
【０００８】
以下、図面を参照しながら本考案の卓上カレンダーの実施の形態を詳細に説明する。
【０００９】
［実施例１］
（１）卓上カレンダー
本考案の卓上カレンダー１は、起立したときに土台となるカバー体２と、綴じ込み用紙３と、カバー体２と綴じ込み用紙３とを一体とする綴じリング４と、を有するものである（図１）。
【００１０】
（２）カバー体
カバー体２は透明又は半透明の合成樹脂素材からなる矩形の部材である。
カバー体２は綴じリング４を挿通するための綴じ穴２１を一辺に沿って設け、その辺を上辺としたときに、綴じ込み用紙３と略同じ高さのカバーパネル２２、カバーパネル２２の下辺から折曲可能に延出する第一折曲部２３、および、第一折曲部２３の他方からさらに折曲可能に延出する第二折曲部２４と、を有する。
【００１１】
（２．１）起立時のカバー体
卓上カレンダー１を卓上で使用する起立時には、カバーパネル２２が綴じ込み用紙３を支える傾斜面となり、カバーパネル２２の下端から延出する第一折曲部２３、第二折曲部２４が卓上面に接する底面となる。
【００１２】
（２．２）持ち運び時
卓上カレンダー１を持ち運ぶ形態の際には、カバーパネル２２が重ね合わせた綴じ込み用紙３の一方の面をカバーし、第二折曲部２４が綴じ込み用紙３の他方の面の下から一定の範囲をカバーし、綴じ込み用紙３を挟み込み、持ち運びしやすい形態となる。
第一折曲部２３はカバーパネル２２と第二折曲部２４の間隔を保持しつつ綴じ込み用紙３の下部をカバーする（図２）。第一折曲部２３は綴じ込み用紙３を重ね合わせた厚さとほぼ同じ幅とすると、最適な間隔となり、持ち運び時によりコンパクトになる。
【００１３】
（３）綴じ込み用紙
綴じ込み用紙３は、綴じリング４を挿通するための綴じ穴３１を一辺に沿って設ける。
綴じ込み用紙３は、月日や週などのカレンダーを印刷したものの他、カバーパネル２２側に綴じ込む表紙３２を有する。
表紙３２は、起立時にはカバーパネル２２と綴じ込み用紙３を支持する控えとなるため（図１）、板紙とするのが好ましい。また、表紙３２以外に板紙を綴じ込み、それを控えとすることもできる。
持ち運び時には表紙３２は、透明又は半透明のカバーパネル２２越しに透過して見えるため、絵や写真、柄などを印刷しておいてもよいし、必要な事項が記入できるように罫線等を印刷しておいてもよい。
【００１４】
（３．１）手帳形態での使用
卓上カレンダー１は開くことで手帳のような形態で使用することができる（図３）。
綴じ込み用紙３は、一方の面に月日や週などを印刷したカレンダー面３３とし、他方にはメモ等を記入できるように罫線等を印刷したメモ面３４とすることで、持ち運びできる手帳としての機能も有する。
【００１５】
（４）ストッパ片
カバー体２の第二折曲部２４の内面には、ストッパ片２５を取り付けてもよい。
ストッパ片２５は例えばカバー体２と同じ素材の板片を第二折曲部２４の端部に取り付けたものである。
ストッパ片２５により、起立時に綴じ込み用紙３の表紙３２などの控えの下端を保持し、卓上カレンダー１が安定して起立することができる。
ストッパ片２５は第二折曲部２４の長さにかかわらず、起立時に卓上カレンダー１が最適な角度となる位置に設ける。また、起立時に複数の角度に設定できるように、複数のストッパ片２５を設けてもよい。
【００１６】
（５）拘束材
カバー体２には拘束材２６を設けてもよい。
拘束材２６は例えば伸縮自在なゴム製の部材であり、第二折曲部２４のストッパ片２５の両端に固定する。
拘束材２６は、持ち運び時には中間部を第二折曲部２４からカバーパネル２２側に回すことにより、綴じ込み用紙３をカバーパネル２２と第二折曲部２４で挟んで拘束して一体に保持し、持ち運び時に広がることを防ぐ。
拘束材２６は伸縮自在なゴム製に限らず、紐等の線材として使用者が結ぶことにより拘束したり、フックやベルト等、適宜素材や形態を選択することができる。
【００１７】
（６）起立方法
卓上カレンダー１を持ち運び形態（図４（ａ））から起立する場合には、まず拘束材２６による拘束を解除し、カバー体２と表紙３２を綴じリング４に沿って綴じ込み用紙３を挟んだ逆側に回動して第二折曲部２４を底面とする（図４（ｂ））。
次に、表紙３２を控えとしてストッパ片２５に係合することにより、卓上カレンダー１を起立する（図４（ｃ））。
【００１８】
また、別の起立方法としては、まず、拘束材２６による拘束を解除し、第二折曲部２４を倒して底面とする（図５（ｂ））。
次に、綴じ込み用紙３を、綴じリング４に沿ってカバーパネル２２側に回動して、表紙３２を控えとしてストッパ片２５に係合することにより、卓上カレンダー１を起立する（図５（ｃ））。
【００１９】
このように、本考案の卓上カレンダー１は、カバー体２を折り畳むことで持ち運びすることができ、また、開くことで手帳のように使用することができる。
【００２０】
［実施例２］
上記の実施例１では、ストッパ片２５を第二折曲部２４の内面に取り付けたが、第二折曲部２４の外側に取り付けてもよい。このとき、表紙３２はカバーパネル２２と逆側に設ける。
そして、卓上カレンダー１を持ち運び形態（図６（ａ））から起立する場合には、まず拘束材２６による拘束を解除し、第二折曲部２４をカバーパネル２２側に回して底面とする（図６（ｂ））。
次に、表紙３２を綴じリング４に沿ってカバーパネル２２側に回動して、表紙３２を控えとしてストッパ片２５に係合することにより、卓上カレンダー１を起立する（図６（ｃ））。
【００２１】
［実施例３］
また、上記の実施例１、２では、ストッパ片２５に表紙３２を係合して卓上カレンダー１を起立したが、ストッパ片２５に限らず、表紙３２等の控えが止められる形態であればよい。
例えば、ゴム製の拘束材２６をカバー体２に取り付けず、持ち運び時にはカバーパネル２２、綴じ込み用紙３および第二折曲部を拘束材２６により拘束し（図７（ａ））、起立時には第二折曲部２４に巻き付けて、巻き付けた拘束材２６に表紙３２を係合して起立することができる（図７（ｂ））。
【符号の説明】
【００２２】
１      卓上カレンダー
２      カバー体
２１    綴じ穴
２２    カバーパネル
２３    第一折曲部
２４    第二折曲部
２５    ストッパ片
２６    拘束材
３      綴じ込み用紙
３１    綴じ穴
３２    表紙
３３    カレンダー面
３４    メモ面
４      綴じリング
【図１】
0003214864.tif 000003
【図２】
0003214864.tif 000004
【図３】
0003214864.tif 000005
【図４】
0003214864.tif 000006
【図５】
0003214864.tif 000007
【図６】
0003214864.tif 000008
【図７】
0003214864.tif 000009